(57)【要約】  ジェット、例えば、エアジェットによってひ口を通りよこ糸が供給される方式の織機におけるよこ糸の監視装置、特に到着監視において、垂直に間隔を開けて配置された多数のおさ薄板が設けられたおさと、よこ糸の長手方向に設けられたよこ糸通し通路とを備えている。おさからの光の最小限の反射でよこ糸を照らすために、おさにあるおさ薄板間を、おさ内のよこ糸通し通路へ向かって照射される光を見ることで、よこ糸を監視するのが妥当な位置に、第１の手段が設けられている。第２の手段は、上述した位置に、よこ糸から実質的に反射される光を検出するために設けられている。
2008510899.tif 000002
【特許請求の範囲】
【請求項１】
ジェット、例えば、エアジェットによってひ口を通りよこ糸が供給される方式の織機におけるよこ糸の監視装置、特に到着監視において、
垂直に間隔を開けて配置された多数のおさ薄板が設けられたおさと、
よこ糸の長手方向に設けられたよこ糸通し通路と、を備え、
第１の手段が、おさからの光の最小限の反射でよこ糸を照らすために、長手方向における下方から、おさにあるおさ薄板間を、おさ内のよこ糸通し通路へ向かって照射される光を見ることで、よこ糸を監視するのが妥当な位置に設けられ、第２の手段が、上述した位置に、よこ糸から実質的に反射される光を検出するために設けられていることを特徴とする監視装置。
【請求項２】
第１の手段は、おさ内のおさ薄板間のスペースを通るよこ糸通し通路において、よこ糸を照らす方向に向けられた光源を含むことを特徴とする請求項１に記載の監視装置。
【請求項３】
光源は、おさに対してよこ糸通し通路と同一側に設置されることを特徴とする請求項２に記載の監視装置。
【請求項４】
第２の手段は、よこ糸から実質的に反射される光を検出するために設けられた光センサーを含むことを特徴とする請求項１に記載の監視装置。
【請求項５】
第１の手段は、おさ薄板間を通ってよこ糸通し通路とよこ糸の方へ向かって光を照射させるよう構成された光源と光屈折装置とを含むことを特徴とする請求項１に記載の監視装置。
【請求項６】
第１の手段は、光源と、光伝導体とを含み、この光伝導体は、光を実質的にアングル屈折（angular refraction）、かつ屈折した光を集めて、おさ薄板間のスペースを通って、よこ糸通し通路とよこ糸と同じ方向へ向けられるよう構成されていることを特徴とする請求項１に記載の監視装置。
【請求項７】
光伝導体は、入力側において鏡面で、出力側において曲面であることを特徴とする請求項６に記載の監視装置。
【請求項８】
光源と光センサーは、同じ位置に設置されていることを特徴とする請求項１乃至６のいずれかに記載の監視装置。
【請求項９】
第１の手段は、一以上の光センサーに対して、同一又は異なる波長の光を放つ一以上の光源を含むことを特徴とする請求項１に記載の監視装置。
【請求項１０】
第２の手段は、同一又はさまざまな波長の光を放つ一以上の光源に対して、一以上の光センサーを含むことを特徴とする請求項１に記載の監視装置。
【発明の詳細な説明】
【技術分野】
【０００１】
本発明は、請求項１に記載された前段部分に述べられた監視装置に関する。
【背景技術】
【０００２】
相当多くの種類の糸に対して、感度が良く信頼性のある動作を実現するために開示された方式の到着監視において、従来技術を改善する必要性が増大している。従来の表示器固有に生じる問題は、背景特性およびある特定の黒い糸と密接な関係をもつ反射特性を有する細い糸、一本糸、編み糸、またはより糸にあることは明白である。また、長寿命を得るために、純粋に機械的安定性と機械的強度を改善することが、技術の面で望ましい。おさ、またはくし状体は一秒間に２０回以上動作させられるため、構成部品は極度に厳しい負荷を受けさせられる。織機ではこれ以上の状態にさらされる。また、到着監視における構成部品は、５０Ｇの厳しい負荷を受けさせられる。織機ではこれ以上の状態にさらされる。そしてよこ糸は、毎秒６０メートルの速度で動く。織機ではこれ以上の速度で動く。そのため、これらの極度に大きな力と大きな速度という、極端に高い要求が装置に課せられる。
【発明の開示】
【発明が解決しようとする課題】
【０００３】
本発明の基礎となる課題は、大幅に改善されたよこ糸監視装置を実現するために、上記に概説した要求と必要性を満足させることである。
【課題を解決するための手段】
【０００４】
この課題は、請求項１で示される特徴を与えるという点で、本発明による装置において、解決される。
【発明の効果】
【０００５】
本発明によれば、従来技術による表示器よりも相当改善された動作特性を示す装置を実現することができる。何よりも、細い白色ナイロン糸のように、光にわずかに反射する、または全く反射しないような問題を含む糸、または、たるんだ暗い灰色の糸のように、おさとして同じ反射特性を有するような問題を含む糸に対しても、かなり信頼性の高い動作を得ることができる。特に、この後者の糸は、今までかなり問題とされてきた。本発明による装置固有の主な利点の一つは、このようにして得られた信号は、さまざまなタイプの糸との関係において、従来技術の装置で使っていたものと比較しても全く不明瞭ではなく、むしろ正確であるということである。
【発明を実施するための最良の形態】
【０００６】
添付した図面を参照して、本発明について詳細に述べる。ここで、図１は、本発明による装置の第１の実施の形態によるおさの一部分を示す斜視図であり、図２は、図１と同様な、本発明による装置の第２の実施の形態によるおさの一部分を示す斜視図であり、図３は、本発明による装置の第３の実施の形態の側面図であり、図４は、本発明による装置の第４の実施の形態の側面図であり、図５は、図３および図４における実施の形態の一部分を示す側面図である。
【０００７】
まず、本発明について、公知の織機の一部分に関連しながら、詳細に述べる。その公知の織機は、互いに平行に配置された多数のおさ薄板１を有するおさを動作させるものである。このような織機、または織物機械は、たいていの場合、空気ジェット織機からなる。おさに含まれるおさ薄板１は、互いに平行に、かつ相互に離れてスペースを設けて配置されている。おさ薄板１が大きくかつ間隔を空けて配置されたおさと、おさ薄板１が薄くかつ間隔を狭めて配置されたおさとがある。おさは、毎秒約２０回、後方へそして前方へ動作する。このとき、おさの構成部品は、５０Ｇ以上の過酷な機械力にさらされることになる。このような速度と負荷は、最新の織機および将来の織機においてでさえ、高い要求と考えられる。
【０００８】
おさ薄板１によって、よこ糸通し通路２が形成されている。よこ糸通し通路２では、圧縮空気によって、毎秒約６０メートル以上の速度でよこ糸またはより糸が供給されている。従来技術による織機では、たいていの場合、２つのセンサーまたは表示器を備えている。そのうちの一方は、よこ糸またはより糸が十分な距離に達したことを表示する。他方は、より糸またはよこ糸が行き過ぎてしまったことを表示する。よこ糸が固定される場合には、よこ糸は表示器まで届かなくなり、またよこ糸が２つ目の表示器に届く場合には、より糸またはよこ糸は切れる。これらいずれの場合においても、織機は停止させられる。よこ糸が表示器に到達するタイミングを計って、よこ糸、より糸、または編み糸を供給させるための空気ジェットが調整される。
【０００９】
図１に示すように、本発明による装置の本実施の形態は、略下方から、よこ糸通し通路２におけるよこ糸、より糸、または編み糸を照らすための光源４を有している。この光源は、一つの波長からなる光を発するためのレーザ光源であってもよい。また、光源は、同一または異なった波長の光を発するための光源の組合せでもよい。光源４は、おさにおけるおさ薄板１間のスペースの中を通り過ぎ、かつよこ糸通し通路２の中へ向けて、光４Ａを放つ。光センサー５は、よこ糸３から、略直線的に反射された光を検出するために適切な位置に配置されている。光源４と、センサーまたは検出器５は、ボックス６に連結されており、ボックス６は光源４を調整し、検出器またはセンサー５からの信号を評価するための電子機器を収納している。ボックス６はまた、検出器５から発せられる信号を表示し、かつ織機を停止させるための電子機器を収納している。
【００１０】
図２は、本発明による装置の第２の実施の形態を示している。同一の構成部品は、異なる図面においても、同一の符号を付している。本実施の形態と、図１に示した第１の実施の形態との主な違いは、光源４が、よこ糸通し通路２内にあるよこ糸３の方に向けて、光線８を屈折させるための鏡７またはプリズム７の方へ光線８を放つことにある。このように、光線８は、おさ薄板１間のスペースを通り過ぎていく。当然のことながら、おさ薄板１間のいくつかのスペースを通り過ぎるにあたって、光線８を遮るものは何もない。よこ糸３から反射されてきた光線または光線群９は、検出器５によって検出される。
【００１１】
図３は、本発明による装置の第３の実施の形態を示しており、光線群８を概略化して示している。また図３では、光線群８は、光源４から発せられ、図５に詳細に示されている光伝導体１０を通る。光線群８は、光伝導体１０内部の鏡面状コート面１１で反射される。光線群８は、曲面１２を通過するように光伝導体１０から発せられ、曲面１３の中に入ってくる。光伝導体１０から発せられた光線群は、おさ薄板１間のスペースを通り過ぎ、よこ糸通し通路２の中へ入る。そして、光線群８は、よこ糸３と、よこ糸通し通路２の内壁とで反射される。線１４は、光源４が取り付けられたアームを表示している。そして、センサーまたは検知器５は、線１４の端部に配置されている。また、線１４は曲がり、上方にまで延び、よこ糸３を通過してもよい。さらに、図３では、アーム１４の方に向けて、おさ薄板１の前端部で反射される光線群を示している。
【００１２】
図４は、基本的に図３と同様な実施の形態を示しているが、光線群９がよこ糸３から反射され、曲面鏡１５に突き当たる。この曲面鏡１５は、光線群９を集め、検出器またはセンサー５の方へ向けて光線群９を案内させる。検出器またはセンサー５は、線により示されているアーム１４に設置される。また、曲面鏡１５は、レンズ、プリズム、光伝導体など、またはそれらの組合せから構成されていてもよい。
【００１３】
曲面鏡１５が光線を焦点に集めるという技術は公知である。評価するにあたり、よこ糸またはより糸のうちの少なくとも数ミリメートルの部分に対して光を照射し、かつ光を検出することが適切であるということがわかる。お互いに順番にいくつかの検出器５を設置することにより、いくつかの検出器のチャンネルを動作させることが可能となり、信号処理の観点からいくつかの利点が生じる。また、検出器は、同一または異なった波長から構成される光の光源を一つ以上含み、また一つ以上の光源のそれぞれに対して一つ以上の光センサーを含んでもよい。検出器は、埃、不適切な反射、またはノイズのために間違った出力信号を発することがあるかもしれない。大多数のチャンネルにおいて、よこ糸通し通路内によこ糸またはより糸がある場合には、信頼性のより高い評価がなされる。
【００１４】
信号とノイズとの関連を改善させるために、スペクトルフィルターを用いることは都合が良い。スペクトルフィルターを有した光検出器がある。また、いわゆる問題を含むより糸または編み糸の検出を改善するために、いくつかのさまざまな光の波長を使うことは適切である。
【図１】
2008510899.tif 000003
【図２】
2008510899.tif 000004
【図３】
2008510899.tif 000005
【図４】
2008510899.tif 000006
【図５】
2008510899.tif 000007
【国際調査報告】
2008510899.tif 000008
2008510899.tif 000009
2008510899.tif 000010
2008510899.tif 000011
2008510899.tif 000012